(57)【要約】【課題】  ＣＤＤＢの同期化を適切に実行することができる「データ同期可能な電子装置」を提供することを目的とする。【解決手段】  車載用オーディオ装置から通信手段を介してホームＰＣに対し、ＣＤＤＢ検索データを送信し（ステップＳ２０１）、ホームＰＣにおいてＣＤＤＢ検索データに基づきＣＤＤＢを同期すべきか否かを判定する（ステップＳ２０２）。ホームＰＣは、同期すべきと判定したとき、自身が保持するＣＤＤＢまたはＣＤＤＢサーバからダウンロードしたＣＤＤＢを車載用オーディオ装置へ返信し（ステップＳ２０３〜Ｓ２０５）、車載用オーディオ装置は、送信されたＣＤＤＢに基づき自身が保持するＣＤＤＢを更新する。【選択図】  図６
2006277432.tif 000002
【特許請求の範囲】
【請求項１】
音楽データおよび音楽データに関する付加情報を記憶する記憶手段と、
外部電子装置とデータ通信を可能にする通信手段と、
外部電子装置に記憶されている付加情報と記憶手段に記憶される付加情報との同期を行う同期手段とを有し、
同期手段は、記憶手段に記憶された音楽データのうち、選択された音楽データに関する付加情報の更新状態を検索するための検索データを通信手段を介して送信する検索手段と、検索データに基づく付加情報を通信手段を介して受信したとき、当該受信した付加情報により記憶手段に記憶された付加情報の更新を行う更新手段とを有する、電子装置。
【請求項２】
検索データは、音楽データを識別するための識別データと、付加情報の更新日時に関するデータを含む、請求項１に記載の電子装置。
【請求項３】
識別データは、ＣＤのＴＯＣ情報とＣＤＤＢの更新日またはＣＤＤＢのデータ登録日に関する情報を含む、請求項１または２に記載の電子装置。
【請求項４】
電子装置は、車載用であって、家庭用電子装置との間で付加情報の同期を行う、請求項１に記載の電子装置。
【請求項５】
電子装置に記憶された音楽データに関する付加情報の同期方法であって、
選択された音楽データに関する付加情報の更新状態を検索するための検索データを通信手段を介して外部電子装置へ送信するステップと、
検索データに基づく付加情報を通信手段を介して受信したとき、当該受信した付加情報に基づき記憶されている付加情報の内容を更新するステップと、
を有する音楽データに関する付加情報の同期方法。
【請求項６】
検索データは、音楽データを識別するためのＴＯＣ情報とＣＤＤＢの更新日またはＣＤＤＢのデータ登録日に関する情報を含む、請求項５に記載の付加情報の同期方法。
【請求項７】
車載用電子装置と外部電子装置間で音楽データに関する付加情報の同期を行う同期システムであって、
車載用電子装置から通信手段を介して外部電子装置に対し、選択された音楽データに関する付加情報の更新状態を検索するための検索データを送信する検索手段と、
外部電子装置において検索データを受信したとき、検索データに基づき車載用電子装置に記憶された付加情報を同期すべきか否かを判定する同期判定手段と、
同期判定手段により同期すべきと判定された場合、同期用付加情報を通信手段を介して車載用電子装置に送信する付加情報送信手段と、
車載用電子装置において同期用付加情報を受信したとき、当該同期用付加情報を記憶する記憶手段と、
を有する同期システム。
【請求項８】
同期判定手段は、外部電子装置に記憶された付加情報の更新日時が、車載用電子装置に記憶された付加情報の更新日時よりも新しいときに同期すべきと判定する、請求項７に記載の同期システム。
【請求項９】
同期システムはさらに、同期判定手段により同期すべきと判定された場合、通信手段を介して外部データベースから付加情報を取得する付加情報取得手段を含み、付加情報送信手段は、取得された付加情報を同期用付加情報として送信する、請求項７または８に記載の同期システム。
【請求項１０】
付加情報取得手段は、外部電子装置が対応する付加情報を記憶していないとき、外部データベースから対応する付加情報を取得する、請求項９に記載の同期システム。
【請求項１１】
付加情報は、音楽ＣＤに関するＣＤＤＢを含む、請求項７ないし１０いずれか１つに記載の同期システム。
【発明の詳細な説明】
【技術分野】
【０００１】
本発明は、データ同期可能な車載用電子装置に関し、特に、データ通信機能を備えた車載用オーディオ装置における音楽データに関する付加情報の同期方法に関する。
【背景技術】
【０００２】
車載用オーディオ装置は、音楽ＣＤを再生する機能に加えて、複数の音楽ＣＤに収録された音楽データを記憶するハードディスクを備えたものが実用化されている。車載用オーディオ装置において、音楽ＣＤを再生するときに所望の音楽データをリッピング（コピー）したり、音楽データを記憶した携帯用メモリを媒介にして音楽データを取り込んだりすることで、音楽データをハードディスクへ保存することができる。通信機能を備えた車載用オーディオ装置の場合には、ネットワークサーバやパーソナルコンピュータなどから音楽データをダウンロードし、ハードディスクへ保存することが行われている。
【０００３】
さらに車載用オーディオ装置には、音楽データをハードディスクへ保存するに際し、音楽ＣＤに収録された楽曲に関する付加情報（以下、ＣＤＤＢという）を一緒に保存し、音楽データの再生時にＣＤＤＢをディスプレイへ表示する機能も設けられている。ＣＤＤＢは、音楽ＣＤに収録された楽曲ついてのアルバム名、アーティスト名、曲名などのタイトル情報を含んでいる。
【０００４】
一般に、ＣＤＤＢは、ＣＤＤＢサーバに蓄積されており、新譜の音楽ＣＤがリリースされると、そのＣＤＤＢが新たにＣＤＤＢサーバに登録され、また、必要に応じて内容が更新される。車載用オーディオ装置や家庭用パーソナルコンピュータ（以下、ホームＰＣ）においても、インターネット等のネットワークを介してＣＤＤＢサーバから所望のＣＤＤＢをダウンロードし、ＣＤＤＢを内部メモリに蓄積している。また、車載用オーディオ装置やホームＰＣにおいて、音楽ＣＤを再生したとき、内部メモリに該当するＣＤＤＢがないと、自動的にＣＤＤＢサーバへアクセスし、そこから該当するＣＤＤＢをリアルタイムでダウンロードするようなソフトウエアも実用化されている。
【０００５】
例えば特許文献１は、オーディオ装置は、音楽ＣＤに収録された楽曲をハードディスクへ保存する際に、ローカルメモリに記憶されたＣＤＤＢを併せて保存する技術を開示している。
【０００６】
車載用オーディオ装置がデータ保存機能やデータ通信機能を備えたことに伴い、ホームＰＣで得られた音楽環境と同じ環境を車載用オーディオ装置に求める要求が増している。このため、車載用オーディオ装置からホームＰＣにアクセスすることで、ホームＰＣに保存された音楽データとの同期化、すなわち音楽データの共有化が行われている。
【０００７】
特許文献２は、データの同期化を図るシステムに関するもので、第２のシステムは、第１のシステムからの差分情報に基づき、ネットワークを介してデータストアからデータを取得し、データ更新する技術を開示している。
【０００８】
【特許文献１】特開２００４−１８５７７０号
【特許文献２】特開２００１−３５６９５０号
【発明の開示】
【発明が解決しようとする課題】
【０００９】
車載用オーディオ装置とホームＰＣにおいて、音楽データの同期化が図られるようになっても、必ずしもＣＤＤＢがうまく同期化されないことがある。例えば、車載用オーディオ装置がＣＤＤＢサーバにアクセスし、自身の保有するＣＤＤＢの更新を行ったとしても、ホームＰＣにおいてＣＤＤＢが更新されていないことがある。その反対に、ホームＰＣでＣＤＤＢサーバにアクセスし、自身の保有するＣＤＤＢの更新を行っても、車載用オーディオ装置においてＣＤＤＢが更新されないことがある。さらに、ＣＤＤＢサーバに蓄積されたＣＤＤＢは、最新のバージョンに更新されることがあるため、車載用オーディオ装置とホームＰＣとの更新日時が違うと、同じ楽曲の音楽データであってもＣＤＤＢの内容が異なってしまうことがある。
【００１０】
本発明は、上記従来の課題を解決するために成されたもので、音楽データに関する付加情報の同期化を適切に実行することができる、電子装置および電子装置に記憶される付加情報の同期方法を提供することを目的とする。
さらに本発明は、車載用電子装置と外部電子装置間のデータ同期化を図ることが可能な同期システムを提供することを目的とする。
【課題を解決するための手段】
【００１１】
本発明に係る電子装置は、音楽データおよび音楽データに関する付加情報を記憶する記憶手段と、外部電子装置とデータ通信を可能にする通信手段と、外部電子装置に記憶されている付加情報と記憶手段に記憶される付加情報との同期を行う同期手段とを有し、同期手段は、記憶手段に記憶された音楽データのうち、選択された音楽データに関する付加情報の更新状態を検索するための検索データを通信手段を介して送信する検索手段と、検索データに基づく付加情報を通信手段を介して受信したとき、当該受信した付加情報により記憶手段に記憶された付加情報の更新を行う更新手段とを有するものである。
【００１２】
好ましくは検索データは、音楽データを識別するための識別データと付加情報が更新された日時データを含む。例えば、検索データは、ＣＤのＴＯＣ情報とＣＤＤＢの更新日またはＣＤＤＢのデータ登録日に関する情報を含む。
【００１３】
本発明に係る、電子装置に記憶された楽データに関する付加情報の同期方法は、選択された音楽データに関する付加情報の更新状態を検索するための検索データを通信手段を介して外部電子装置へ送信するステップと、検索データに基づく付加情報を通信手段を介して受信したとき、当該受信した付加情報に基づき記憶されている付加情報の内容を更新するステップとを有する。
【００１４】
さらに本発明に係る、車載用電子装置と外部電子装置間で音楽データに関する付加情報の同期を行う同期システムは、車載用電子装置から通信手段を介して外部電子装置に対し、選択された音楽データに関する付加情報の更新状態を検索するための検索データを送信する検索手段と、外部電子装置において検索データを受信したとき、検索データに基づき車載用電子装置に記憶された付加情報を同期すべきか否かを判定する同期判定手段と、同期判定手段により同期すべきと判定された場合、同期用付加情報を通信手段を介して車載用電子装置に送信する付加情報送信手段と、車載用電子装置において同期用付加情報を受信したとき、当該同期用付加情報を記憶する記憶手段とを有するものである。
【発明の効果】
【００１５】
本発明に係る電子装置によれば、同期手段により選択された音楽データに関する付加情報の更新状態を検索するようにし、その結果、付加情報が得られたときには、その付加情報により記憶手段の内容を更新するようにしたので、電子装置と外部電子装置の付加情報の同期化を適切に行うことができる。
【発明を実施するための最良の形態】
【００１６】
以下、本発明の最良の実施の形態について図面を参照して詳細に説明する。
【実施例】
【００１７】
図１は、本発明の実施例に係る車載用オーディオ装置の構成を示す図である。車載用オーディオ装置１０は、音楽ＣＤの再生を行うためのオーディオ再生部２０、再生された音楽データのオーディオ出力をするオーディオ出力部３０、音楽データの再生時にＣＤＤＢ等の表示を行う表示部４０、携帯電話等の通信端末を利用してデータ通信を可能とするデータ通信部５０、複数の音楽ＣＤに収録された音楽データ、ＣＤＤＢおよびアプリケーションソフトウエア等を記憶するハードディスク（記憶装置）６０、プログラムデータや演算データ等を一時的に記憶するメモリ７０、ユーザからのコマンド等を入力する操作部８０、外部の電子機器との接続や携帯用メモリ等との接続を可能にするインターフェース（Ｉ／Ｆ）９０、各部を制御するＣＰＵ（中央処理装置）１００を含み、これらはバス１１０によって接続されている。
【００１８】
車載用オーディオ装置１０は、音楽ＣＤを再生するとき、音楽ＣＤに収録された楽曲の音楽データ等をハードディスク６０に格納したり、データ通信部５０を介してネットワークサーバや外部電子装置から取り込んだ音楽データ等を格納したり、インターフェース９０を介してメモリスティックなどに記憶された音楽データ等を格納することができる。ハードディスク６０に格納された音楽データは、操作部８０からのコマンドにより、随時再生することができる。
【００１９】
また車載用オーディオ装置１０において、ＣＤＤＢをハードディスク６０に格納する場合には、データ通信部５０を介してＣＤＤＢサーバにアクセスし、希望する音楽ＣＤのＣＤＤＢが登録されているか否かを検索し、該当するＣＤＤＢが登録または更新されていれば、そのＣＤＤＢをダウンロードし、ハードディスク６０に格納する。このとき、音楽ＣＤを識別する情報としてＴＯＣ情報を用いる。ＴＯＣ情報は、音楽ＣＤに収録されている各楽曲の長さおよびその間のギャップ長を含んでおり、この組合せを音楽ＣＤの識別に利用することができる。ＣＤＤＢサーバにアクセスする以外にも、外部電子装置にアクセスし、外部電子装置が記憶するＣＤＤＢを取得したり、あるいは、携帯用メモリを介してＣＤＤＢを取得することができる。
【００２０】
図２に、音楽ＣＤに収録された音楽データまたはそれと同一の音楽データを保存するときに作成される管理テーブルを示す。管理テーブルは、ハードディスク６０の所定のメモリ空間内に作成される。管理テーブルは、ＣＤ識別情報、音楽ＣＤに収録されている音楽データの保存先、ＣＤＤＢの保存先、およびＣＤＤＢの更新日を含んでいる。例えば、ある音楽ＣＤのＣＤ識別情報が「ＴＯＣ＃１」であるとすると、その音楽ＣＤに収録された音楽データをハードディスク６０に保存するときに、各音楽データ１〜ｎの保存場所を示すアドレスが記憶される。また、例えばＣＤＤＢサーバが「ＴＯＣ＃１」に該当するＣＤＤＢ（ＣＤＤＢ＃１）を登録もしくは更新しており、そのＣＤＤＢ＃１をダウンロードすると、ＣＤＤＢ＃１の保存場所を示すアドレスが記憶される。同時に、ダウンロードした日が更新日として記憶される。一方、「ＴＯＣ＃２」の音楽ＣＤに関し、ＣＤＤＢサーバへの検索を行ったにもかかわらず、該当するＣＤＤＢ＃２が登録されていなかった場合には、保存場所を示すアドレスおよび更新日にはデータは書き込まれないか、デフォルトの値となる。ＣＤＤＢサーバ以外からＣＤＤＢを保存するときも同様である。
【００２１】
次に、車載用オーディオ装置と外部電子装置間の同期について説明する。ここでは、外部電子装置としてホームＰＣを対象にし、車載用オーディオ装置からホームＰＣに対し、ＣＤＤＢの同期を図る場合について説明する。
【００２２】
上記したように、車載用オーディオ装置には、音楽ＣＤやＣＤＤＢのデータが記憶され、他方、ホームＰＣにおいても音楽ＣＤやＣＤＤＢのデータが記憶され、これらの記憶は各々独自に行うことが可能である。理想的には、ホームＰＣにおいて行った作業と同一の作業を車載用オーディオ装置において行えば、同一の音楽環境、すなわち同一のＣＤＤＢを車載用オーディオ装置に記憶させることができるが、こうした作業は非現実的である。
【００２３】
車載用オーディオ装置とホームＰＣにおいて、どのような場合にＣＤＤＢの同期が必要になるのかを、図３を参照して説明する。
【００２４】
Ａ：車載用オーディオ装置とホームＰＣ間で同期用のソフトウエアを使用する場合。双方の装置に、データを共有化するためのソフトウエアが搭載され、車載用オーディオ装置からインターネットなどの通信手段を用いて、ホームＰＣに記憶されたデータとの同期を図る場合である。
【００２５】
Ａ−１：ここで、ホームＰＣのリッピング時（音楽ＣＤの音楽データをハードディスクへコピーする）に、ＣＤＤＢの検索をしていないことが想定される。この場合、同期を行った後で、ホームＰＣが先にＣＤＤＢの検索を実行し、ＣＤＤＢをダウンロードする場合（Ａ−１−１）と、同期を行った後で、車載用オーディオ装置が先にＣＤＤＢの検索を実行し、ＣＤＤＢをダウンロードする場合（Ａ−１−２）が存在する。これらの場合には、車載用オーディオ装置とホームＰＣ間でＣＤＤＢの同期が行われない事態が生じる。
【００２６】
Ａ−２：ホームＰＣのリッピング時にＣＤＤＢの検索をしている場合には、ホームＰＣのＣＤＤＢが車載用オーディオ装置に同期されるので、ＣＤＤＢの検索結果の不整合は発生しない（Ａ−２−１）。
【００２７】
Ｂ：同期用のソフトウエアを使用しない場合（個別にリッピングした場合）
この場合には、ホームＰＣが先にＣＤＤＢの検索を実行し、ＣＤＤＢをダウンロードした場合（Ｂ−１）、および、車載用オーディオ装置が先にＣＤＤＢの検索を実行し、ＣＤＤＢをダウンロードした場合（Ｂ−２）に、不整合が生じ得る。
【００２８】
上記したように車載用オーディオ装置とホームＰＣ間では、Ａ−１−１、Ａ―１−２、Ｂ−１、Ｂ−２の態様のときに、ＣＤＤＢの不整合が想定されるため、本実施例では、このようなＣＤＤＢの不整合を解消すべくＣＤＤＢの同期を図る。好ましくは、ハードディスク６０には、データの同期をとるための同期用アプリケーションがインストールされており、この同期用アプリケーションを実行することによりＣＤＤＢの同期処理が行われる。図４は、ＣＤＤＢの同期処理を説明するための動作フローである。
【００２９】
車載用オーディオ装置において、例えば、ユーザがある音楽データの再生を指示したとき、あるいはＣＤＤＢの同期の指示を与えたときに、ＣＰＵ１００は同期処理を開始する（ステップＳ１０１）。これ以外にも、タイマー管理等により一定の時刻になったときに、自動的にＣＤＤＢの同期処理を開始するようにしてもよい。
【００３０】
ＣＰＵ１００は、同期用アプリケーションのプログラムに従い、図５に示すようなＣＤＤＢ検索データ２００を作成する（ステップＳ１０２）。ＣＤＤＢ検索データ２００は、車載用オーディオ装置が保持するＣＤＤＢが更新すべきか否かをホームＰＣにおいて検索するためのデータである。このため、ＣＤＤＢ検索データ２００は、音楽ＣＤを識別するためのＴＯＣ情報２１０と、ＣＤＤＢの更新日を示すＣＤＤＢ更新情報２２０とを含んでいる。
【００３１】
例えば、ユーザが音楽データＡに関するＣＤＤＢの更新状態を検索する場合、ＣＰＵ１００は、図２に示す管理テーブルを参照し、音楽データＡに対応するＴＯＣ情報とＣＤＤＢの更新日を検索し、それらの情報をＣＤＤＢ検索データ２００に書き込む（図５の例では、ＴＯＣ＃１と、２００４／１２／０１が書き込まれる）。また、ユーザが音楽データＢに関するＣＤＤＢの更新状態を検索する場合に、車載用オーディオ装置がＣＤＤＢを保存していないときには、ＴＯＣ情報のみ書き込まれ、ＣＤＤＢの更新日は、デフォルト値となる。
【００３２】
図５は、ユーザが音楽データＡと音楽データＢに関するＣＤＤＢの更新状態の検索を行う例である。検索対象となる音楽データは、ユーザが指定する以外にも、記憶されている音楽データから自動的に抽出するようにすることも可能である。例えば、一定の時間毎に一定の音楽データを指定したり、記憶された日が古い順から順に音楽データを指定したり、音楽ＣＤ単位でそこに含まれる音楽データを指定するようにしてもよい。
【００３３】
ＣＰＵ１００は、データ通信部５０を介して、ＣＤＤＢ検索データ２００をホームＰＣへ送信する（ステップＳ１０３）。ホームＰＣは、車載用オーディオ装置と同様に、図２に示すような管理テーブルを備えており、ＣＤＤＢ検索データ２００を受信すると、そのＴＯＣ情報からＣＤＤＢを記憶しているか否かを判定する（ステップＳ１０４）。
【００３４】
ホームＰＣは、該当するＣＤＤＢを記憶している場合には、さらに、ＣＤＤＢの更新日を比較する（ステップＳ１０５）。ホームＰＣが保持しているＣＤＤＢの更新日が、車載用オーディオ装置が保持しているＣＤＤＢの更新日よりも新しいとき、および車載用オーディオ装置がＣＤＤＢを保持していないとき（ステップＳ１０６）、ホームＰＣは、車載用オーディオ装置のＣＤＤＢを同期する必要があると判定する（ステップＳ１０７）。
【００３５】
同期をする必要があると判定されると、ホームＰＣは、その旨を示す判定結果と自身が保有しているＣＤＤＢを車載用オーディオ装置１０へ送信する（ステップＳ１０８）。なお、図５に示すようにＣＤＤＢ検索データ２００が複数の音楽データを含んでいる場合には、それぞれの音楽データに該当するＴＯＣ情報およびＣＤＤＢ更新日に基づき、車載用オーディオ装置のＣＤＤＢを同期すべきか否かを判定する。
【００３６】
ＣＰＵ１００は、データ通信部５０を介して、判定結果および最新のＣＤＤＢを受け取ると、その内容に基づき、管理テーブルおよび記憶しているＣＤＤＢを更新する（ステップＳ１０９）。音楽データＢのようにＣＤＤＢを記憶していなかったときには、受信したＣＤＤＢを保存することになる。これにより、車載用オーディオ装置のＣＤＤＢは、ホームＰＣのＣＤＤＢと同一になる。
【００３７】
一方、ホームＰＣにＣＤＤＢが格納されていないとき（ステップＳ１０４）、およびホームＰＣのＣＤＤＢ更新日が新しくないとき（ステップＳ１０６）、ホームＰＣは、車載用オーディオ装置が保存しているＣＤＤＢの同期の必要がないと判定し（ステップＳ１１０）、その旨を示す判定結果を車載用オーディオ装置１０へ送信する（ステップＳ１１１）。
【００３８】
ＣＤＤＢ検索データ２００が複数のＴＯＣ情報を含んでいるときに、仮に、音楽データＡについてのＣＤＤＢを同期する必要がないと判定し、音楽データＢについていのＣＤＤＢを同期する必要がありと判定すれば、音楽データＢのＣＤＤＢのみ同期される。
【００３９】
上記例では、車載用オーディオ装置のＣＤＤＢをホームＰＣに同期させるものであるため、車載用オーディオ装置のＣＤＤＢの更新日がホームＰＣのＣＤＤＢの更新日より新しいとき、車載用オーディオ装置のＣＤＤＢが更新されないが、このような場合には、ホームＰＣのＣＤＤＢを車載用オーディオ装置のＣＤＤＢに同期させるようにしてもよい。
【００４０】
次に、車載用オーディオ装置、ホームＰＣおよびＣＤＤＢサーバ間でＣＤＤＢの同期を行う例について図６を参照して説明する。先ず、車載用オーディオ装置１０から、ＣＤＤＢ検索データ２００がホームＰＣへ送信される（ステップＳ２０１）。
【００４１】
ホームＰＣは、ＣＤＤＢ検索データ２００を受信すると、図７に示す判断テーブルに従い同期すべきか否かを判定を行う（ステップＳ２０２）。車載用オーディオ装置がＣＤＤＢを保持しておらず、ホームＰＣがＣＤＤＢを保持している場合には、ホームＰＣは、自身が保持しているＣＤＤＢを車載用オーディオ装置へ返信し、ＣＤＤＢサーバへのＣＤＤＢ検索は行わない（ケース１）。
【００４２】
反対に、車載用オーディオ装置がＣＤＤＢを保持しており、ホームＰＣがＣＤＤＢを保持していない場合には、ホームＰＣは、ＣＤＤＢサーバに対しＣＤＤＢの検索を実行する（ケース２）。車載用オーディオ装置およびホームＰＣの双方がＣＤＤＢを保持している場合には、ホームＰＣのＣＤＤＢ更新日が古ければ、ＣＤＤＢサーバに対しＣＤＤＢの検索を実行し（ケース３）、ホームＰＣのＣＤＤＢ更新日が新しければ、自身が保持しているＣＤＤＢを車載用オーディオ装置へ返信する（ケース４）。
【００４３】
ホームＰＣは、ＣＤＤＢの検索を実行すると判定した場合（ケース２およびケース３）、ＣＤＤＢサーバへ検索を実行し（ステップＳ２０３）、ＣＤＤＢサーバから最新のＣＤＤＢをダウンロードする（ステップＳ２０４）。ホームＰＣは、図７に示す判定結果と、自身が保持するＣＤＤＢまたはＣＤＤＢサーバからダウンロードしたＣＤＤＢを車載用オーディオ装置へ送信する（ステップＳ２０５）。車載用オーディオ装置のＣＰＵ１００は、受信した判定結果を参照し、受信したＣＤＤＢに基づき自身が保持しているＣＤＤＢの内容を更新する（ステップＳ２０６）。
【００４４】
これにより、車載用オーディオ装置のＣＤＤＢをホームＰＣのＣＤＤＢに同期することに加えて、ホームＰＣのＣＤＤＢをＣＤＤＢサーバが蓄積する最新のものに更新させることができる。
【００４５】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００４６】
上記実施例では、車載用オーディオ装置を例示したが、車載用オーディオ装置は、ビデオ装置やナビゲーション装置等と複合された装置やシステムであってもよい。また、車載用に限らず、携帯用やポータブル用のオーディオ機能を備えた電子装置であってもよい。
【００４７】
また、同期の対象としてホームＰＣを例示したが、これ以外にも、例えば、他の電子装置、携帯用電子装置、あるいは車両に搭載された電子装置との間で同期を行うものであってもよい。さらに、ＣＤＤＢの同期を示したが、同期すべきデータは、必ずしもＣＤＤＢに限らず、これ以外の音楽データ等に関連する付加的なデータであってもよい。さらに、ＤＶＤ等に関連するタイトル情報などであってもよい。さらに、上記実施例では、ＣＤＤＢの同期処理をソフトウエアにより実行する例を示したが、ハードウエアによって実行するものであってもよい。
【産業上の利用可能性】
【００４８】
本発明に係る電子装置は、車載用、携帯用、家庭用などの広汎なオーディオ機能を備えた装置、システムにおいて利用することができる。
【図面の簡単な説明】
【００４９】
【図１】本発明の実施例に係る車載用オーディオ装置の構成を示すブロック図である。
【図２】音楽データおよびＣＤＤＢの管理テーブルを示す図である。
【図３】車載用オーディオ装置とホームＰＣ間のＣＤＤＢの同期を説明する図である。
【図４】本実施例による車載用オーディオ装置におけるＣＤＤＢの同期を説明する動作フローである。
【図５】ＣＤＤＢ検索データを示す図である。
【図６】車載用オーディオ装置、ホームＰＣおよびＣＤＤＢサーバ間の同期システムを説明する図である。
【図７】ホームＰＣにおける同期処理の判定テーブルを示す図である。
【符号の説明】
【００５０】
１０：車載用オーディオ装置            ２０：オーディオ再生部
３０：オーディオ出力部                ４０：表示部
５０：データ通信部                    ６０：ハードディスク
７０：メモリ                          ８０：操作部
９０：インテーフェース                １００：ＣＰＵ
１１０：バス                          ２００：ＣＤＤＢ検索データ
２１０：ＴＯＣ情報                    ２２０：ＣＤＤＢ更新日
【図１】
2006277432.tif 000003
【図２】
2006277432.tif 000004
【図３】
2006277432.tif 000005
【図４】
2006277432.tif 000006
【図５】
2006277432.tif 000007
【図６】
2006277432.tif 000008
【図７】
2006277432.tif 000009